(57)【要約】【課題】本考案の睡眠時呼吸確保用チューブは、鼻腔への挿入が違和感なく行えると共に、睡眠時の使用態様に応じてチューブ長さの微調節を行うことができる。【解決手段】睡眠時呼吸確保用チューブ１の基端部４に設けた雄ネジ５に、調節用筒体６の雌ネジ７を螺合し、前記調節用筒体６を回転させることにより調節用筒体６を螺合した睡眠時呼吸確保用チューブ１の全体長さの調節を行う。前記長さ調節が終了したら、鼻孔カバー８の後端開口筒１０側から睡眠時呼吸確保用チューブ１の先端部２へ挿入し、調節用筒体６側まで移動させて鼻孔カバー８と調節用筒体６とを完全に一致させる。睡眠時の使用態様（経験からくる慣れや睡眠時呼吸確保用チューブ１の先端部２を違和感なくもう少し奥に差し込みたい等の要望）に応じて前記調節用筒体６を回転させることにより調節用筒体６を螺合した睡眠時呼吸確保用チューブ１の全体長さの微調節を行うことができる。【選択図】図１
0003217859.tif 000002
【実用新案登録請求の範囲】
【請求項１】
睡眠時呼吸確保用チューブ、調節用筒体、鼻孔カバーを組み合わせてなり、前記睡眠時呼吸確保用チューブは、人肌に近いシリコンゴム製の柔らかいチューブで、少なくとも鼻孔から咽頭部までの長さを有する睡眠時呼吸確保用チューブからなり、該睡眠時呼吸確保用チューブの先端部は、先端先細りとなる釣鐘状の円弧面で閉塞され、該円弧面の中央部分に小孔の貫通孔を形成して空気の流通を可能にすると共に、鼻孔から咽頭部への形状に合わせて湾曲した円弧部に形成し、該円弧部の内側稜線に沿って先端部側へ延びる通気孔を形成する一方、前記円弧部の外側稜線に沿って前記通気孔とはずれた個所に液通孔を形成し、さらに前記睡眠時呼吸確保用チューブの基端部には、雄ネジを形成し、
前記雄ネジに螺合する雌ネジを設けた調節用筒体は、該調節用筒体を回転させることにより睡眠時呼吸確保用チューブの全体長さを変化させることができ、
さらに、鼻孔に挿入出来る大きさの砲弾状の鼻孔カバーは、先端部に前記睡眠時呼吸確保用チューブを挿入出来る先端開口筒を形成し、該先端開口筒に連通して後端部に前記調節筒体を挿入できる後端開口筒を一体に形成することを特徴とする睡眠時呼吸確保用チューブ。
【請求項２】
前記円弧部の内側稜線に沿って先端部側へ延びる複数の通気孔を形成する一方、前記円弧部の外側稜線に沿って前記通気孔と対向する個所に液通孔を形成することを特徴とする請求項１記載の睡眠時呼吸確保用チューブ。
【請求項３】
前記円弧部全体に沿って先端部側へ螺旋状又はランダムに延びる複数の小孔を形成することを特徴とする請求項１記載の睡眠時呼吸確保用チューブ。
【請求項４】
前記睡眠時呼吸確保用チューブの円弧部の内側稜線に沿って先端部近傍に複数の通気孔及び外側稜線の先端部の前記通気孔とはずれた個所に液通孔を設けることを特徴とする請求項３記載の睡眠時呼吸確保用チューブ。
【請求項５】
前記睡眠時呼吸確保用チューブの全体は、透明の合成樹脂からなることを特徴とする請求項１乃至４のいずれか一つに記載の睡眠時呼吸確保用チューブ。
【考案の詳細な説明】
【技術分野】
【０００１】
本考案は、鼻腔への挿入が違和感なく行えると共に、チューブ長さの微調節を行うことができる睡眠時呼吸確保用チューブに関する。
【背景技術】
【０００２】
睡眠時の気道は、肥満だけでなく、顔の骨格や加齢によっても、狭くなるし又は閉塞する。睡眠時のいびきや無呼吸は、上気道が狭くなる又は閉塞することが原因である。そのため、鼻にソフトなチューブを挿入することで気道を確保することが以前から知られている。
本考案者は、鼻腔への挿入が違和感なく行えると共に、外観上の抵抗がないストッパーにより脱落することなく確実に着脱できる睡眠時呼吸確保用チューブを開発した（特許文献１を参照）。
【０００３】
この公知技術は、人肌に近いシリコンゴム製の柔らかいチューブで、少なくとも鼻孔から咽頭部までの長さを有する睡眠時呼吸確保用チューブからなり、
前記睡眠時呼吸確保用チューブの先端部は、先端先細りとなる釣鐘状の円弧面で閉塞され、該円弧面の中央部分に小孔の貫通孔を形成して空気の流通を可能にすると共に、鼻孔から咽頭部への形状に合わせて湾曲した円弧部に形成し、前記円弧部の内側稜線に沿って先端部側へ直線的に複数の通気孔を形成し、
前記睡眠時呼吸確保用チューブの基端部には、鼻孔に嵌合する大きさの円錐台形状の筒体を固定し、該筒体には４分の１円周縁に沿って円弧状に突出するストッパーを形成し、該ストッパーを鼻孔内に挿入支持することで確実に前記睡眠時呼吸確保用チューブを着脱できるものである。
しかし、前記睡眠時呼吸確保用チューブは、基端部に、鼻孔に嵌合する大きさの円錐台形状の筒体を固定し、該筒体には４分の１円周縁に沿って円弧状に突出するストッパーを形成しているため、専門医師が使用者の鼻孔から咽頭部までの長さを正確に測定し、チューブをカットして筒体を固定しなければならず、使用者が睡眠時の使用態様に応じてチューブ長さの微調節を行うことができなかった。
【先行技術文献】
【特許文献】
【０００４】
【特許文献１】特許第６３３４８０１号公報
【考案の概要】
【考案が解決しようとする課題】
【０００５】
本考案は、鼻腔への挿入が違和感なく行えると共に、睡眠時の使用態様に応じてチューブ長さの微調節を行うことができる睡眠時呼吸確保用チューブを提供することを目的とする。
【課題を解決するための手段】
【０００６】
本考案の睡眠時呼吸確保用チューブは、睡眠時呼吸確保用チューブ、調節用筒体、鼻孔カバーを組み合わせてなり、前記睡眠時呼吸確保用チューブは、人肌に近いシリコンゴム製の柔らかいチューブで、少なくとも鼻孔から咽頭部までの長さを有する睡眠時呼吸確保用チューブからなり、該睡眠時呼吸確保用チューブの先端部は、先端先細りとなる釣鐘状の円弧面で閉塞され、該円弧面の中央部分に小孔の貫通孔を形成して空気の流通を可能にすると共に、鼻孔から咽頭部への形状に合わせて湾曲した円弧部に形成し、該円弧部の内側稜線に沿って先端部側へ延びる通気孔を形成する一方、前記円弧部の外側稜線に沿って前記通気孔とはずれた個所に液通孔を形成し、さらに前記睡眠時呼吸確保用チューブの基端部には、雄ネジを形成し、
前記雄ネジに螺合する雌ネジを設けた調節用筒体は、該調節用筒体を回転させることにより睡眠時呼吸確保用チューブの全体長さを変化させることができ、
さらに、鼻孔に挿入出来る大きさの砲弾状の鼻孔カバーは、先端部に前記睡眠時呼吸確保用チューブを挿入出来る先端開口筒を形成し、該先端開口筒に連通して後端部に前記調節筒体を挿入できる後端開口筒を一体に形成する。
【考案の効果】
【０００７】
本考案の睡眠時呼吸確保用チューブは、睡眠時呼吸確保用チューブ、調節用筒体、鼻孔カバーを組み合わせてなり、前記睡眠時呼吸確保用チューブは、人肌に近いシリコンゴム製の柔らかいチューブで、少なくとも鼻孔から咽頭部までの長さを有する睡眠時呼吸確保用チューブからなり、該睡眠時呼吸確保用チューブの先端部は、先端先細りとなる釣鐘状の円弧面で閉塞され、該円弧面の中央部分に小孔の貫通孔を形成して空気の流通を可能にすると共に、鼻孔から咽頭部への形状に合わせて湾曲した円弧部に形成し、該円弧部の内側稜線に沿って先端部側へ延びる通気孔を形成する一方、前記円弧部の外側稜線に沿って前記通気孔とはずれた個所に液通孔を形成し、さらに前記睡眠時呼吸確保用チューブの基端部には、雄ネジを形成し、
前記雄ネジに螺合する雌ネジを設けた調節用筒体は、該調節用筒体を回転させることにより睡眠時呼吸確保用チューブの全体長さを変化させることができ、
さらに、鼻孔に挿入出来る大きさの砲弾状の鼻孔カバーは、先端部に前記睡眠時呼吸確保用チューブを挿入出来る先端開口筒を形成し、該先端開口筒に連通して後端部に前記調節筒体を挿入できる後端開口筒を一体に形成するので、使用者が睡眠時の使用態様（経験からくる慣れや睡眠時呼吸確保用チューブの先端部を違和感なくもう少し奥に差し込みたい等の要望）に応じて前記調節用筒体を回転させることにより調節用筒体を螺合した睡眠時呼吸確保用チューブの全体長さの微調節を行うことができる。
【図面の簡単な説明】
【０００８】
【図１】本考案の睡眠時呼吸確保用チューブの分解説明図である。
【図２】本考案の睡眠時呼吸確保用チューブの正面図である。
【図３】睡眠時呼吸確保用チューブと調節筒体との接続部分を示す拡大縦断面図である。
【図４】本考案の睡眠時呼吸確保用チューブの他の実施例の斜視図である。
【図５】本考案の睡眠時呼吸確保用チューブのその他の実施例の斜視図である。
【考案を実施するための形態】
【０００９】
本考案の睡眠時呼吸確保用チューブの一実施例を添付図面に基づいて、以下に説明する。
図１の分解説明図に示すように、睡眠時呼吸確保用チューブ１は、人肌に近い軟度のシリコンゴム製の柔らかい透明チューブで、少なくとも鼻孔から咽頭部までの長さを有する。
前記睡眠時呼吸確保用チューブ１の先端部２は、先端先細りとなる釣鐘状の円弧面３で閉塞され、該円弧面３の中央部分に小孔の貫通孔（図示省略）を形成して空気の流通を可能にすると共に、前記睡眠時呼吸確保用チューブ１の基端部４には、雄ネジ５を形成し、別体で設けた長さ調節用の調節用筒体６を螺合する。
【００１０】
前記雄ネジ５に螺合する調節用筒体６には雌ネジ７を設け、前記調節用筒体６を回転させることにより睡眠時呼吸確保用チューブ１の全体長さを変化させることができる。なお、前記基端部４に雄ネジ５、前記調節用筒体６に雌ネジ７としたが、逆に前記基端部４に雌ネジ７、前記調節用筒体６に雄ネジ５とすることも可能である。
さらに、鼻孔に挿入出来る大きさの砲弾状の鼻孔カバー８を形成し、先端部に前記睡眠時呼吸確保用チューブ１を挿入出来る先端開口筒９を形成し、該先端開口筒９に連通して後端部に前記調節筒体５を挿入できる後端開口筒１０を一体に形成する。
【００１１】
そして、図２の正面図に示すように、前記睡眠時呼吸確保用チューブ１は、鼻孔から咽頭部への形状に合わせて湾曲した円弧部１１を形成し、前記円弧部１１の内側稜線に沿って先端部２側へ延びる通気孔１２を形成する。一方、前記円弧部１１の外側稜線に沿って前記通気孔１２とはずれた個所に液通孔１３を形成する。なお、前記通気孔１２及び液通孔１３は、それぞれ複数個形成することも可能である。
【００１２】
次に、本考案の睡眠時呼吸確保用チューブの一実施例の操作動作を添付図面に基づいて、以下に説明する。
使用者が、図１に示す睡眠時呼吸確保用チューブ１の基端部４に設けた雄ネジ５に、調節用筒体６の雌ネジ７を螺合し、前記調節用筒体６を回転させることにより調節用筒体６を螺合した睡眠時呼吸確保用チューブ１の全体長さの調節を行う。前記長さ調節が終了したら、鼻孔カバー８の後端開口筒１０側から睡眠時呼吸確保用チューブ１の先端部２へ挿入し、図３の拡大縦断面図に示すように調節用筒体６側まで移動させて鼻孔カバー８と調節用筒体６とを完全に一致させる。
【００１３】
いびきや無呼吸に苦しむ使用者は、就寝前に、睡眠時呼吸確保用チューブ１を鼻孔から鼻腔を通して、前記睡眠時呼吸確保用チューブ１の鼻孔カバー８が鼻孔内に収納される状態まで、すなわち咽頭部まで前記睡眠時呼吸確保用チューブ１を押し込む。この時、前記睡眠時呼吸確保用チューブ１の先端部２は釣鐘状の円弧面３となっているため、鼻腔内を粘膜を損傷することなく抵抗感なく挿入することができる。なお、特に初心者は、挿入前に違和感を生じないように、前記睡眠時呼吸確保用チューブ１の先端部２にワセリンやゼリー状潤滑剤などを塗布することが望ましい。
【００１４】
この状態では、前記睡眠時呼吸確保用チューブ１の先端部２が、咽頭部の奥まで挿入されて気道が確保されているので、空気の流通は、前記睡眠時呼吸確保用チューブ１の円弧部１１の内側稜線の通気孔１２及び先端部２の円弧面３の中央部分の貫通孔（図示省略）により円滑に行われる。また、鼻水等の液体は、前記睡眠時呼吸確保用チューブ１の円弧部１１の外側稜線の液通孔１３から排出される。
【００１５】
起床時に、前記睡眠時呼吸確保用チューブ１を取り外す時は、片方の手で鼻孔を拡げ、もう一方の手で鼻の外側から鼻孔カバー８を押し出すようにして鼻孔から突出させ、前記鼻孔カバー８を掴んで引っ張り出すことで、前記睡眠時呼吸確保用チューブ１を取り外すことができる。
また、使用者が、睡眠時の使用態様（経験からくる慣れや睡眠時呼吸確保用チューブ１の先端部２を違和感なくもう少し奥に差し込みたい等の要望）に応じて前記調節用筒体６を回転させることにより調節用筒体６を螺合した睡眠時呼吸確保用チューブ１の全体長さの微調節を行うことができる。
【００１６】
本考案の睡眠時呼吸確保用チューブの他の実施例を添付図面に基づいて、以下に説明する。
図４の斜視図に示すように、睡眠時呼吸確保用チューブ１は、人肌に近い軟度のシリコンゴム製の柔らかい透明チューブで、少なくとも鼻孔から咽頭部までの長さを有する。
前記睡眠時呼吸確保用チューブ１は、鼻孔から咽頭部への形状に合わせて湾曲した円弧部１１を形成し、前記円弧部１１の内側稜線に沿って先端部２側へ延びる複数の通気孔１２を形成する。一方、前記円弧部１１の外側稜線に沿って前記通気孔１２と対向する個所に液通孔１３を形成する。
なお、番号１５は、前記睡眠時呼吸確保用チューブ１の先端部２の円弧面３の中央部分に形成した小孔の貫通孔である。該貫通孔１５を形成して前記睡眠時呼吸確保用チューブ１の空気の流通を可能にする。
【００１７】
次に、本考案の睡眠時呼吸確保用チューブのその他の実施例を添付図面に基づいて、以下に説明する。
図５の斜視図に示すように、睡眠時呼吸確保用チューブ１は、人肌に近い軟度のシリコンゴム製の柔らかい透明チューブで、少なくとも鼻孔から咽頭部までの長さを有する。
前記睡眠時呼吸確保用チューブ１は、鼻孔から咽頭部への形状に合わせて湾曲した円弧部１１を形成し、前記円弧部１１全体に沿って先端部２側へ螺旋状又はランダムに延びる複数の小孔１４を形成する。
また、前記睡眠時呼吸確保用チューブ１の円弧部１１の内側稜線に沿って先端部２近傍に複数の通気孔１２及び外側稜線の先端部２の前記通気孔１２とはずれた個所に液通孔１３を設ける。
そして、前記円弧部１１全体に沿って先端部２側へ螺旋状又はランダムに延びる複数の小孔１４は、前記睡眠時呼吸確保用チューブ１内に湿気を帯びさせる効果を生じさせる。また、鼻水等の液体は、前記睡眠時呼吸確保用チューブ１の円弧部の外側稜線の液通孔１３から排出される。
【符号の説明】
【００１８】
１  睡眠時呼吸確保用チューブ
２  先端部
３  円弧面
４  基端部
５  雄ネジ
６  調節用筒体
７  雌ネジ
８  鼻孔カバー
９  先端開口筒
１０  後端開口筒
１１  円弧部
１２  通気孔
１３  液通孔
１４  小孔
１５  貫通孔
【図１】
0003217859.tif 000003
【図２】
0003217859.tif 000004
【図３】
0003217859.tif 000005
【図４】
0003217859.tif 000006
【図５】
0003217859.tif 000007